(57)【特許請求の範囲】
【請求項１】
複数の設定項目からの一の設定項目の選択操作及び選択された設定項目の設定値の設定操作を受け付ける操作装置であって、
段階的に複数の位置に回動し、回動に応じた一の位置を指し示す指示部分を有する操作部と、
該操作部に積重して設けられた回動操作体と、
該操作部の指示部分が指し示す複数の位置のそれぞれに対応付けられた複数の位置に前記複数の設定項目の設定値をそれぞれ表示する表示部と、
前記操作部の指示部分が指し示す位置に対応する位置に表示された設定項目の選択を受け付ける第１受付手段と、
前記回動操作体の回動に応じて、前記第１受付手段が選択を受け付けた設定項目の設定値の設定を受け付ける第２受付手段とを備え、
前記表示部が表示する複数の設定項目の設定値の表示領域が、重複領域を有すること
を特徴とする操作装置。
【請求項２】
前記操作部の指示部分が指し示すそれぞれの位置及び／又は前記表示部がそれぞれの設定項目を表示する表示位置が、前記操作部を介して操作される操作対象が設けられている空間位置と対応付けられていることを特徴とする請求項１に記載の操作装置。
【請求項３】
前記操作部を介して操作される操作対象は、空調装置であることを特徴とする請求項１又は２に記載の操作装置。
【請求項４】
前記操作部を介して操作される操作対象は、音響装置であることを特徴とする請求項１又は２に記載の操作装置。
【請求項５】
前記操作部を介して操作される操作対象は、車輌に設けられ、設定値の変更が可能な各部であることを特徴とする請求項１又は２に記載の操作装置。
【請求項６】
前記操作部を介して操作される操作対象は、車輌に関する情報の表示を切り替える表示切替部であることを特徴とする請求項１又は２に記載の操作装置。
【請求項７】
前記表示部は、前記第１受付手段が選択を受け付けた設定項目を強調表示するようにしてあることを特徴とする請求項１乃至６のいずれかひとつに記載の操作装置。
【発明の詳細な説明】
【技術分野】
【０００１】
本発明は、空調装置の温度設定又は音響装置の音量設定等の電気機器の設定に係る操作を受け付ける操作装置に関する。
【背景技術】
【０００２】
従来、車輌にはカーナビゲーション装置、オーディオ装置及びエアーコンディショナー（以下、エアコンという）等の種々の電気機器が搭載され、車輌の運転者及び同乗者等に対する快適性の向上が図られている。これらの機器を操作するための複数のスイッチ及びボタン等を有する操作パネルは、車輌のインストルメントパネルなどの運転席近傍に配設されている。
【０００３】
近年、車輌に搭載される機器の増加及び各機器の多機能化に伴って、機器の操作により多くのスイッチ及びボタン等が必要となっている。しかし、スイッチ及びボタン等の数が増加すると、操作すべきスイッチを探す時間が必要となり、操作パネルを注視する時間が増加する虞があり、操作性が悪化すると共に安全性を確保できない。
【０００４】
特許文献１においては、複数の制御項目の設定状態をそれぞれ表示する表示部と、表示された各設定状態の表示エリアを視覚的に区分けする手段と、区分けされた各表示エリア近傍に、各表示エリアに表示される制御項目を選択するための選択ボタンとを設けることにより、操作者（ユーザ）が設定したい制御項目を視覚的に容易に選択できる装置が提案されている。このように、各表示エリアの近傍に、各制御項目を選択するための選択ボタンを設けることにより、表示エリアの表示情報に基づいて、操作すべき選択ボタンを直感的に選択することができるので、操作性を向上させることができる。
【特許文献１】特開２００５−８１９０９号公報
【発明の開示】
【発明が解決しようとする課題】
【０００５】
しかし、現在でも、車輌に搭載される機器の数は増加傾向にあり、また、各機器は多機能化の傾向にある。従って、表示部に表示すべき項目の数の増加及び各項目を選択するための選択ボタンの数の増加を回避することはできない。よって、表示エリアの近傍に対応する選択ボタンを設ける構成では、操作性の向上に限界があるとともに、車輌内の配設スペース不足が問題となる。よって、このような問題を解決して操作性をより向上させるために、操作ボタンの数を削減できるような操作装置が要望されている。
【０００６】
本発明は、斯かる事情に鑑みてなされたものであり、その目的とするところは、操作すべきスイッチ又はボタン等の数を削減して小型化を実現すると共に、ユーザの直感的な操作を可能として操作性の向上を図ることができる操作装置を提供することにある。
【課題を解決するための手段】
【０００７】
本発明に係る操作装置は、複数の設定項目からの一の設定項目の選択操作及び選択された設定項目の設定値の設定操作を受け付ける操作装置であって、段階的に複数の位置に回動し、回動に応じた一の位置を指し示す指示部分を有する操作部と、該操作部に積重して設けられた回動操作体と、該操作部の指示部分が指し示す複数の位置のそれぞれに対応付けられた複数の位置に前記複数の設定項目の設定値をそれぞれ表示する表示部と、前記操作部の指示部分が指し示す位置に対応する位置に表示された設定項目の選択を受け付ける第１受付手段と、前記回動操作体の回動に応じて、前記第１受付手段が選択を受け付けた設定項目の設定値の設定を受け付ける第２受付手段とを備え、前記表示部が表示する複数の設定項目の設定値の表示領域が、重複領域を有することを特徴とする。
【０００８】
本発明によれば、段階的に複数の位置に回動する操作部を用いて、表示部に表示された設定項目の選択操作を行う。表示部は、操作部の回動に応じた複数の位置のそれぞれに対応付けられた位置に設定項目の設定値をそれぞれ表示する。操作部の指示部分が一の位置を指し示すように操作部を回動させる操作を、この回動位置に対応して表示部に表示された設定項目の選択操作とする。また、操作部に積重して設けられた回動操作体を回動させる操作を、操作部によって選択された設定項目に対する設定操作とする。よって、操作部による設定項目の選択後に、操作部に積重して設けられた回動操作体による設定操作を行うことができる。従って、例えば、設定項目の選択操作と設定操作とを別に配されたスイッチなどで行う場合では、ユーザが、設定項目の選択後に別のスイッチを探す必要があったが、このような必要がなくなり、操作性を向上させることができる。また、操作部の回動位置と、表示部による設定項目の表示位置とが対応付けられていることによって、いずれの設定項目を選択しているかをユーザが容易に把握できる。操作部を回動させることが可能な位置が数箇所程度であれば、ある程度使用に慣れたユーザは表示部の表示を短時間目視するのみで又は目視することなく、設定項目の選択操作を行うことが可能である。更に、操作部の指示部分が指し示す複数の位置のそれぞれに対応して表示される複数の設定項目の設定値の表示領域が重複領域を有するので、設定項目毎に表示領域を確保する必要がなく、表示部の小型化及び低コスト化が可能となる。
【０００９】
本発明に係る操作装置は、前記操作部の指示部分が指し示すそれぞれの位置及び／又は前記表示部がそれぞれの設定項目を表示する表示位置が、前記操作部を介して操作される操作対象が設けられている空間位置と対応付けられていることを特徴とする。
【００１０】
本発明によれば、操作部の回動位置及び／又は設定項目の表示位置が、操作対象が設けられている空間位置と対応付けられていることによって、操作対象の空間位置に基づいて、操作部をどのように回動させれば良いかを直感的に判断することができる。よって、ユーザが操作部及び表示部を注視する時間がより短縮され、簡単且つ確実な操作が可能となり、操作性をより向上させることができる。
【００１１】
本発明に係る操作装置は、前記操作部を介して操作される操作対象は、空調装置であることを特徴とする。
【００１２】
本発明に係る操作装置は、前記操作部を介して操作される操作対象は、音響装置であることを特徴とする。
【００１３】
本発明に係る操作装置は、前記操作部を介して操作される操作対象は、車輌に設けられ、設定値の変更が可能な各部であることを特徴とする。
【００１４】
本発明に係る操作装置は、前記操作部を介して操作される操作対象は、車輌に関する情報の表示を切り替える表示切替部であることを特徴とする。
【００１５】
本発明によれば、空調装置、音響装置、車輌に設けられ、設定値の変更が可能な各部、又は、車輌に関する情報の表示を切り替える表示切替部等を操作する際の操作性を向上させることができる。よって、車輌の運転者及び同乗者等が車輌に設けられた各部を操作する場合であっても、操作すべきスイッチ又はボタンを探すために操作パネルを注視する時間を削減できるので、安全に操作することができる。
【００２０】
本発明に係る操作装置は、前記表示部は、前記第１受付手段が選択を受け付けた設定項目を強調表示するようにしてあることを特徴とする。
【００２１】
本発明によれば、操作部によって選択された設定項目を表示部にて強調表示する。これにより、ユーザは自身が選択した設定項目を容易に認識することができる。操作部を移動させることができる位置が多い場合、即ち表示部に表示される設定項目の数が多い場合には特に有効である。なお、強調表示としては、例えば、拡大表示、色変更表示、点滅表示等がある。
【発明の効果】
【００２２】
本発明による場合は、ユーザが操作するスイッチ又はボタン等の数を削減できるので、操作装置の小型化が可能であり、車輌のインストルメントパネルなどの限られたスペースに操作装置を容易に配設することができる。また、ユーザの直感的な操作が可能となり、特に、この操作装置を車輌に搭載した場合には、操作装置を注視する時間が短縮されるので、車輌の運転に支障きたす虞がなく、操作性を向上させることができると共に、車輌の走行の安全性を高めることができる。
【発明を実施するための最良の形態】
【００２３】
以下に、本発明に係る操作装置を、その実施形態を示す図面に基づいて詳述する。図１は、本実施形態に係る操作装置の外観を示す模式図である。本実施形態に係る操作装置１は、例えば車輌のインストルメントパネルなどに設けられ、車輌に搭載されたエアコン（空調装置）、ＣＤプレーヤ及びラジオチューナ（音響装置）等の車載機器に対する各種の設定操作を受け付けるものである。
【００２４】
また、操作装置１は、上述した各車載機器だけでなく、サスペンションの切り替え（例えば、スポーツモード、ノーマルモード、ソフトモードの切り替え）、ヘッドランプの高さの切り替え、ドア及び窓のロックの施錠及び開錠の切り替え等、車輌に設けられ、モードの切り替えが可能な各機器に対する設定操作を受け付ける。更に、操作装置１は、オドメータ及びトリップメータ等で計測した走行距離、燃費計で計測した燃費等、車輌に関する情報の表示を切り替える表示切替部に対する切替操作も受け付ける。なお、本実施形態では、説明の簡略化のため、エアコンに対する各種の設定操作を行う操作装置を例に説明する。
【００２５】
本実施形態の操作装置１は、各種の情報及び設定項目等を表示する表示部５０、３つのスイッチで構成される複合スイッチ１７、その他の複数のスイッチ又はボタン等で構成される操作部１５等を備えている。なお、本実施形態の操作装置１はエアコンに係る設定項目の設定のみを受け付けるものであり、表示部５０は、図１に示すように、エアコンに関する設定項目及び設定情報を表示する。
【００２６】
図２は、複合スイッチ１７の構成を示す模式図であり、（ａ）に複合スイッチ１７の平面視を示し、（ｂ）に複合スイッチ１７の側面視を示してある。複合スイッチ１７は、プッシュスイッチ２０、ダイヤルスイッチ３０及び選択切替スイッチ４０の３つのスイッチにより構成してある。選択切替スイッチ４０は、先細の先端部分４１が他の部分より厚く形成された略卵形の板状をなしている。また、操作装置１は、その筐体（又は車輌のインストルメントパネル）の内部から外部へ突出して設けられた円筒状の回動軸４２を備えている。
【００２７】
選択切替スイッチ４０には回動軸４２が挿通可能な略円形の貫通孔が形成してあり、選択切替スイッチ４０の貫通孔に回動軸４２を挿通させてある。回動軸４２は操作装置１の筐体内の回路基板などに回動可能に設けてあり、選択切替スイッチ４０及び回動軸４２が一体に回動するようにしてある。
【００２８】
選択切替スイッチ４０及び回動軸４２は、先端部分４１が真上方向を指し示す位置（中央位置）と、中央位置から５０°程度左側の位置と、中央位置から２５°程度左側の位置と、中央位置から２５°程度右側の位置と、中央位置から５０°程度右側の位置との５つの位置に段階的に回動することができる。なお、選択切替スイッチ４０及び回動軸４２は、この範囲を超えて回動することができないようにしてある。段階的な回動は、例えば凹凸の係合を利用してクリック感を生じさせることで実現できる。なお、クリック感とは凹凸の係合に伴って生じる「カチ、カチ」という音、及びこのときに生じる振動等を含むものである。
【００２９】
ダイヤルスイッチ３０は、略円板形をなしている。操作装置１は、円筒状の回動軸４２内及び選択切替スイッチ４０に形成された貫通孔を挿通して筐体内の回路基板などに回動可能に設けられた円柱又は円筒状の回動軸３１を備えており、ダイヤルスイッチ３０は回動軸３１に固定されて一体に回動するようにしてある。これにより、ダイヤルスイッチ（回動操作体）３０は、選択切替スイッチ４０に対して軸方向に積重する態様で設けられる。
【００３０】
ダイヤルスイッチ３０は、回動軸３１を中心に左右に３６０°又はそれ以上に亘って回動させることができるようにしてある。また、ダイヤルスイッチ３０は回動に伴って所定間隔でクリック感を生じさせる構成としてもよく、この場合には選択切替スイッチ４０の回動位置に応じてクリック感を変更する（クリック感が生じる間隔を変更する、又はクリック感の強度を変更する等）構成とすることが好ましい。クリック感の変更は、例えば形状などが異なる複数組の凹凸を形成しておき、選択切替スイッチ４０の回動位置に応じて係合する凹凸の組を変更することで実現でき、モータ又はアクチュエータ等を利用して電気的に実現することもできる。
【００３１】
ダイヤルスイッチ３０の回動に伴ってクリック感を生じさせる構成とすることにより、選択切替スイッチ４０に対する回動操作と共にダイヤルスイッチ３０が誤って回動操作されることが防止でき、また、誤って回動操作された場合にはユーザがこれを認識することができる。なお、選択切替スイッチ４０の回動操作時にダイヤルスイッチ３０が誤って回動されることを防止するために、ダイヤルスイッチ３０の回動をロックする機構を設け、ロック解除のボタンを押下しながらダイヤルスイッチ３０の回動操作を行う構成とすることもできる。
【００３２】
プッシュスイッチ２０は、略円形をなし、ダイヤルスイッチ３０の略円形をなす端面の略中央に設けてある。プッシュスイッチ２０は、ダイヤルスイッチ３０及び回動軸３１内を通したケーブルなどを介して操作装置１の筐体内に設けられた回路基板などに接続してあり、プッシュスイッチ２０に対するプッシュ操作を検知することができるようにしてある。
【００３３】
また、図１に示すように、操作装置１には、複合スイッチ１７の周囲にその他の複数のスイッチ（操作部１５）が配設してあり、複合スイッチ１７にて操作することのできない種々の機能の操作を操作部１５にて行うことができるようにしてある。なお、操作部１５の各スイッチには、比較的に操作頻度の低い機能に対する操作を割り当てることが好ましいが、これに限るものではなく、逆に操作頻度が非常に高く、１つのスイッチとして独立して設けることが好ましい機能の操作を割り当ててもよい。
【００３４】
表示部５０は、例えば液晶ディスプレイなどを用いて実現されるものであり、横長の矩形状に形成されている。表示部５０は、エアコンに対して複合スイッチ１７を利用して設定することができる設定項目を表示する。具体的には、表示部５０は、ユーザが選択切替スイッチ４０を上記の中央位置、５０°程度左側の位置、２５°程度左側の位置、２５°程度右側の位置及び５０°程度右側の位置の５つの位置にそれぞれ回動させた場合に、先端部分４１が指し示す５つの位置に対応する表示位置にマーク５１〜５５を表示する。
【００３５】
また、表示部５０は、５つのマーク５１〜５５を横方向に並べて表示すると共に、それぞれのマーク５１〜５５の表示位置に対応する領域（表示領域）に、設定項目又は設定情報を表示する。具体的には、表示部５０は、左から順に、マーク５１に対応する領域にエアコンに対して設定された風向を模式的に表示し、マーク５２に対応する領域に車輌の助手席に対する温度設定の項目を示す「ＰＡＳＳＥＮＧＥＲ」の文字を表示している。また、表示部５０は、マーク５４に対応する領域に車輌の運転席に対する温度設定の項目を示す「ＤＲＩＶＥＲ」の文字を表示し、マーク５５に対応する領域にエアコンに対して設定された風量を模式的に表示している。
【００３６】
これにより、ユーザは、選択切替スイッチ４０の先端部分４１をこのマーク５１〜５５のいずれかに合わせるように回動操作することができるようにしてある。なお、選択切替スイッチ４０の先端部分４１は表示部５０の下端中央の一部を覆うように設けられており、選択切替スイッチ４０を上記の５つの位置に回動した場合に、先端部分が、表示部５０に表示されている各マーク５１〜５５を直接的に指し示すことができる。
【００３７】
ユーザは選択切替スイッチ（操作部）４０を回動操作して５つのマーク５１〜５５のいずれかに先端部分（指示部分）４１を合わせるように回動操作することによって、表示部５０に表示された５つの設定項目から対応する１つの設定項目を選択することができる。なお、マーク５３に対応する領域には何も表示されていないが、ユーザは、選択切替スイッチ４０の先端部分４１をマーク５３に合わせることによって、車輌の全ての座席の温度設定の項目を選択できる。
【００３８】
図１及び図２に示す例では、選択切替スイッチ４０の先端部分４１は中央のマーク５３を指し示す位置であるため、車輌の全ての座席に対する温度設定の項目が選択された状態である。この状態でダイヤルスイッチ３０を回動操作することで全ての座席に対する設定温度を変更することができ、例えばダイヤルスイッチ３０を時計回りに回動して設定温度を上げ、反時計回りに回動して設定温度を下げることができるようにしてある。
【００３９】
なお、エアコンの風向又は風量の設定は、プッシュスイッチ２０をプッシュ操作することによってトグル的に変更することができる構成としてもよく、操作部１５のその他のスイッチを操作して変更することができる構成としてもよい。
【００４０】
このように、本実施形態の操作装置１では、表示部５０の中央位置に表示されたマーク５３よりも左側のマーク５２に、助手席に対する温度設定の項目を対応付け、表示部５０の中央位置に表示されたマーク５３よりも右側のマーク５４に、運転席に対する温度設定の項目を対応付けてある。よって、助手席に対する温度設定又は運転席に対する温度設定等、操作対象の車輌内における空間位置に対応付けることにより、操作対象の空間位置に基づいて選択切替スイッチ４０の回動方向を直感的に判断できるのでブラインド操作が可能となる。
【００４１】
表示部５０は、図１及び図２に示すように、全席に対する温度設定の項目が選択された場合、全席に対する温度設定に対応するマーク５３の上の表示領域に、全席に対して設定されている温度を表示する。また、表示部５０は、選択切替スイッチ４０にて運転席に対する温度設定の項目が選択された場合、運転席に対する温度設定に対応するマーク５４の上の表示領域に、運転席に対して設定されている温度を表示する。
【００４２】
更に、表示部５０は、選択切替スイッチ４０にて助手席に対する温度設定の項目が選択された場合、助手席に対する温度設定に対応するマーク５２の上の表示領域に、助手席に対して設定されている温度を表示する。即ち、表示部５０は、助手席、全席又は運転席に対する温度設定のいずれかの項目が選択された場合、選択された項目に対して設定されている温度をマーク５２〜５４のそれぞれの上に表示させる。
【００４３】
このように、助手席、全席又は運転席に対する温度設定のいずれかの項目に対して設定されている温度のみを表示させる構成とすることにより、各項目に対して設定されている温度を表示させる表示領域を重複させることができる。よって、本実施形態の操作装置１では、項目毎に表示領域を確保する必要がないので、表示部５０の有効利用が図れると共に表示部５０の小型化及び低コスト化が可能である。
【００４４】
また、表示部５０は、風向設定の項目又は風量設定の項目が選択された場合、この時点で設定されている風向又は風量を、非選択時における表示サイズよりも大きく拡大表示するようにしてある。これにより、ユーザは、風向設定又は風量設定のいずれかの項目を選択した場合、自身が選択した設定項目を容易に且つ確実に認識することができ、操作装置１の操作性を確実に向上することができると共に、ユーザによる誤操作を確実に低減することができる。
【００４５】
図３は、複合スイッチ１７による選択操作及び設定操作を説明するための模式図である。図１に示す状態から、選択切替スイッチ４０を時計回りに回動操作して、先端部分４１がマーク５４を指し示す位置とした場合を示したものが図３である。これによりユーザは、表示部５０に表示された５つの設定項目から、運転席に対する温度設定の項目を選択する選択操作をすることができる。この場合、全席に対する温度設定の項目から運転席に対する温度設定の項目に選択が切り替えられたので、表示部５０は全席に対して設定されていた温度（図１，２においては２５．０）の表示を終了し、運転席に対して設定されている温度（図３においては２７．０）の表示を開始する。
【００４６】
運転席に対する温度設定の項目が選択された後、ユーザはダイヤルスイッチ３０を回動操作することによって運転席の温度の設定操作を行うことができる（図３（ｂ）参照）。ダイヤルスイッチ３０を図３（ｂ）中の白抜き矢印で示すように反時計回りに回動操作した場合には温度を下げることができ、逆にダイヤルスイッチ３０を時計回りに回動操作した場合には温度を上げることができる。なお、図示は省略するが助手席又は全席に対する温度設定についても同様であり、選択切替スイッチ４０をマーク５２又は５３の位置まで回動操作することで助手席又は全席に対する温度設定の選択操作を行うことができ、その後にダイヤルスイッチ３０を回動操作することで助手席又は全席に対する温度の設定操作を行うことができる。
【００４７】
図４は、本実施形態に係る操作装置１の構成を示すブロック図である。操作装置１は、プッシュスイッチ２０に対するプッシュ操作を検知するプッシュ検知部１１、ダイヤルスイッチ３０の回動量を検出するロータリエンコーダ１２、選択切替スイッチ４０の回動位置を検出する位置検出部１３等と、これら各部から与えられる検知結果又は検出結果等を基に表示部５０へ各種の情報を表示する処理を主として行う制御部１０とを備えている。これらの各部は、操作装置１の筐体内に設けられた回路基板などに電気回路として構成されている。
【００４８】
プッシュ検知部１１は、電気的接点などを利用してプッシュスイッチ２０のプッシュ操作に応じて電気の導通／非導通を切り替えることにより、プッシュスイッチ２０に対するプッシュ操作を検知するようにしてある。プッシュ検知部１１は、プッシュスイッチ２０に対するプッシュ操作を検知した場合に、制御部１０へ通知を行うようにしてある。
【００４９】
ロータリエンコーダ１２は、回路基板などに固定される固定部と、この固定部に回転可能に保持された回転子とを有する構成であり、回転子の回転に応じたパルス信号を出力する。ロータリエンコーダ１２の回転子はダイヤルスイッチ３０の回動軸３１に連結してあり、ダイヤルスイッチ３０の回動操作に伴ってパルス信号を制御部１０へ出力するようにしてある。制御部１０は、ロータリエンコーダ１２からのパルス信号を基に、ダイヤルスイッチ３０の回動方向及び回動量等を取得することができる。
【００５０】
位置検出部１３は、例えば３接点のレバースイッチなどを利用し、選択切替スイッチ４０の回動軸４２が回動に応じてレバースイッチのレバーを移動させることによって、位置の検出を行うようにしてある。位置検出部１３は、検出した位置を制御部１０へ通知するようにしてある。
【００５１】
制御部１０には、プッシュ検知部１１からのプッシュ操作の検知結果、ロータリエンコーダ１２からのパルス信号、及び位置検出部１３からの回動位置の検出結果が与えられると共に、操作部１５の複数のスイッチに対する操作の検知結果が与えられている。従って、制御部１０は、選択切替スイッチ４０の先端部分４１が指し示すマーク５１〜５５に対応する設定項目の選択を受け付ける第１受付手段として動作すると共に、選択された設定項目の設定値の設定をダイヤルスイッチ３０を介して受け付ける第２受付手段として動作する。
【００５２】
制御部１０は、複合スイッチ１７及び操作部１５に対する操作内容に応じて、表示部５０の表示を更新するようにしてある。また、制御部１０は、複合スイッチ１７及び操作部１５の操作により設定されたエアコン２に関する各種の設定を反映させるべく、接続ケーブルなどを介して接続されたエアコン２の動作を、設定内容に応じて制御するようにしてある。
【００５３】
例えば、制御部１０は、選択切替スイッチ４０の先端部分４１がマーク５１を指し示す位置に回動された場合、この時点で設定されている風向を拡大表示し、選択切替スイッチ４０の先端部分４１がマーク５２を指し示す位置に回動された場合、この時点で助手席に対して設定されている温度を表示する。また、制御部１０は、選択切替スイッチ４０の先端部分４１がマーク５３を指し示す位置に回動された場合、この時点で全席に対して設定されている温度を表示し、選択切替スイッチ４０の先端部分４１がマーク５４を指し示す位置に回動された場合、この時点で運転席に対して設定されている温度を表示する。更に、制御部１０は、選択切替スイッチ４０の先端部分４１がマーク５５を指し示す位置に回動された場合、この時点で設定されている風量を拡大表示する。
【００５４】
ダイヤルスイッチ３０が回動操作された場合、制御部１０は、ロータリエンコーダ１２が出力するパルス信号からダイヤルスイッチ３０の回動方向及び回動量を取得する。次いで、表示部５０に表示されている各設定項目の設定値を、ダイヤルスイッチ３０の回動方向及び回動量に応じて変更するように、設定変更対象のエアコン２の制御を行う。
【００５５】
以上の構成の操作装置１においては、選択切替スイッチ４０及びダイヤルスイッチ３０が積重する態様で設けられた複合スイッチ１７を用いて、エアコン２に対して設定可能な各項目の選択操作、及び選択された設定項目の設定操作を行う構成とすることにより、複合スイッチ１７のみで多数の設定項目の設定を行うことができるため、操作装置１のその他のスイッチ又はボタン等を削減することができ、操作装置１を小型化することができる。よって、車輌のインストルメントパネルなどの限られたスペースに、操作装置１を容易に配設することができる。
【００５６】
また、選択切替スイッチ４０の５つの回動位置に対応付けて、５つのマーク５１〜５５及び設定項目を表示し、マーク５１〜５５のいずれかを指し示す位置に選択切替スイッチ４０の先端部分４１が回動された場合に、５つの設定項目のいずれかを選択する選択操作を受け付ける構成とすることにより、いずれの設定項目を選択しているかをユーザが容易に把握できる。よって、ユーザは表示部５０の表示を短時間目視するのみで又は目視することなく所望の設定項目の選択操作を行うことができるため、操作装置１の操作性を向上することができる。特に、この操作装置１を車輌に搭載した場合、操作装置１を目視することなく操作を行うことができるため、車輌の運転に支障きたす虞がなく、車輌の走行の安全性を高めることができる。
【００５７】
また、先端部分４１が表示部５０の下端中央の一部を覆うように選択切替スイッチ４０を設ける構成とすることにより、表示部５０に表示された５つのマーク５１〜５５を先端部分４１が直接的に指し示すことができるため、選択切替スイッチ４０により選択された設定項目をユーザが確実に認識することができる。よって、操作装置１の操作性を向上することができると共に、ユーザによる誤操作を低減することができる。
【００５８】
また、選択切替スイッチ４０は略卵形の板状として、先細の先端部分４１を指示部分とし、ダイヤルスイッチ３０は略円板形とすることによって、ユーザが回動操作を行い易く、選択切替スイッチ４０がいずれの位置に回動されているかを判定し易い。また、回動の中心軸が共通となるように選択切替スイッチ４０及びダイヤルスイッチ３０を積重して設ける構成とすることにより、選択切替スイッチ４０及びダイヤルスイッチ３０の配設スペースを低減できると共に、ユーザは選択切替スイッチ４０の操作後に容易にダイヤルスイッチ３０の操作を行うことができる。よって、操作装置１の小型化及び操作性の向上をより確実に実現することができる。
【００５９】
本実施の形態においては、操作装置１を車輌に搭載するものとしたが、これに限るものではなく、車輌以外の場所に搭載する構成としてもよく、本発明の操作装置１は特に配設スペースの限られた場所に搭載する場合に好適である。また、操作装置１によりエアコンに係る設定項目の設定操作を受け付ける構成としたが、これに限るものではなく、例えば、ＣＤプレーヤ及びラジオチューナ等の機器に係る設定項目の設定操作を受け付ける構成であってもよい。
【００６０】
例えば、車輌に搭載されたＣＤプレーヤの音量の設定を選択切替スイッチ４０にて行う場合、選択切替スイッチ４０をマーク５２の位置まで回動操作することで助手席に対する音量の設定の選択操作を行い、その後にダイヤルスイッチ３０を回動操作することで助手席に対する音量の設定操作を行うようにすればよい。また、選択切替スイッチ４０をマーク５３の位置まで回動操作することで全席に対する音量の設定の選択操作を行い、その後にダイヤルスイッチ３０を回動操作することで全席に対する音量の設定操作を行うようにすればよい。更に、選択切替スイッチ４０をマーク５４の位置まで回動操作することで運転席に対する音量の設定の選択操作を行い、その後にダイヤルスイッチ３０を回動操作することで運転席に対する音量の設定操作を行うようにすればよい。
【００６１】
また、本発明の操作装置１は、サスペンションの切り替え（例えば、スポーツモード、ノーマルモード、ソフトモードの切り替え）、ヘッドランプの高さの切り替え、ドア及び窓のロックの施錠及び開錠の切り替え等、車輌に設けられ、モードの切り替えが可能な各機器に係る設定項目の設定操作を受け付ける構成であってもよい。
【００６２】
例えば、サスペンションの切り替えを選択切替スイッチ４０にて行う場合、選択切替スイッチ４０をマーク５２の位置まで回動操作することで左前輪に対するサスペンションの設定の選択操作を行い、その後にダイヤルスイッチ３０を回動操作することで左前輪に対するサスペンションの設定操作を行うようにすればよい。同様に、選択切替スイッチ４０をマーク５４の位置まで回動操作することで右前輪に対するサスペンションの設定の選択操作を行い、その後にダイヤルスイッチ３０を回動操作することで右前輪に対するサスペンションの設定操作を行うようにすればよい。
【００６３】
また、ドア及び窓のロックの施錠及び開錠の切り替えを選択切替スイッチ４０にて行う場合、選択切替スイッチ４０をマーク５２の位置まで回動操作することで助手席側のドア及び窓に対するロックの設定の選択操作を行い、その後にダイヤルスイッチ３０を回動操作することで助手席側のドア及び窓に対するロックの施錠又は開錠の設定操作を行うようにすればよい。同様に、選択切替スイッチ４０をマーク５４の位置まで回動操作することで運転席側のドア及び窓に対するロックの設定の選択操作を行い、その後にダイヤルスイッチ３０を回動操作することで運転席側のドア及び窓に対するロックの施錠又は開錠の設定操作を行うようにすればよい。
【００６４】
また、本発明の操作装置１は、オドメータ及びトリップメータ等で計測した走行距離、燃費計で計測した燃費等、車輌に関する情報の表示を切り替える表示切替部に対する切替操作を受け付ける構成であってもよい。例えば、選択切替スイッチ４０をマーク５１の位置まで回動操作することでオドメータの計測距離を表示部５０に拡大表示させ、選択切替スイッチ４０をマーク５２の位置まで回動操作することでトリップメータの計測距離を表示部５０に拡大表示させ、選択切替スイッチ４０をマーク５３の位置まで回動操作することで燃費計の計測量を表示部５０に拡大表示させるようにしてもよい。
【００６５】
また、選択切替スイッチ４０は５つの位置に回動する構成としたが、これに限るものではなく、４つ以下の位置又は６つ以上の位置に回動する構成であってもよい。また、図１〜図３にて示した表示部５０の表示内容及び操作部１５のスイッチの配置等は一例であって、これに限るものではない。また、表示部５０には５つの設定項目を表示する構成としたが、これに限るものではなく、５つ以下（即ち、選択切替スイッチ４０の回動位置の数以下）の設定項目を表示させればよい。また、表示部５０は液晶ディスプレイなどを用いて実現されるものであるが、カラー表示又はモノクローム表示のいずれであってもよく、ドット表示又はセグメント表示のいずれであってもよい。
【００６６】
また、選択切替スイッチ４０により風向又は風量の設定項目が選択された場合、選択された設定項目を拡大表示して強調表示する構成としたが、これに限るものではない。例えば、選択された設定項目の色を変更する、又は点滅表示するなどの他の方法により強調表示を行う構成としてもよい。また、複合スイッチ１７の内部に複数色の光源を設け、表示部５０に表示される各設定項目を異なる色で表示し、選択された設定項目の色に応じた色で複合スイッチ１７を発光させる構成とすることもできる。
【００６７】
また、選択切替スイッチ４０を略卵形としたが、これに限るものではなく、矢印形又はひし形等の他の形状であってもよく、少なくとも回動位置を判別することができる形状、又はいずれか１箇所に指示部分が設けられた形状であればよい。また、先細部分の先端部分４１を指示部分として利用する構成としたが、これに限るものではなく、例えば選択切替スイッチ４０の一部の色を他の部分と異なる色とする、選択切替スイッチ４０の一箇所にマークを付す、又は選択切替スイッチ４０の一部の素材を変更するなどの構成により指示部分を設けてもよい。
【００６８】
また、選択切替スイッチ４０の回動操作によって設定項目を選択する構成としたが、これに限るものではない。例えば、段階的に移動し、表示部５０が表示する各マーク５１〜５５を指し示す可動部を有するスライドスイッチで構成することもできる。即ち、可動部がマーク５１〜５５のいずれかを指し示す位置にスライドスイッチを移動させることによって、マーク５１〜５５のいずれかに対応する設定項目の選択操作を行うように構成してもよい。
【図面の簡単な説明】
【００６９】
【図１】本実施形態に係る操作装置の外観を示す模式図である。
【図２】複合スイッチの構成を示す模式図である。
【図３】複合スイッチによる選択操作及び設定操作を説明するための模式図である。
【図４】本実施形態に係る操作装置の構成を示すブロック図である。
【符号の説明】
【００７０】
１  操作装置
１０  制御部
１７  複合スイッチ
２０  プッシュスイッチ
３０  ダイヤルスイッチ（回動操作体）
４０  選択切替スイッチ（操作部）
４１  先端部分（指示部分）
５０  表示部
【図１】
0005033067.tif 000002
【図２】
0005033067.tif 000003
【図３】
0005033067.tif 000004
【図４】
0005033067.tif 000005